(57)【要約】【課題】簡単な構造で適切に表示部材を傾けることが可能な表示装置を提供する。【解決手段】表示部材２０と、表示部材２０の後方に配置される表示部材ホルダー２１と、表示部材ホルダー２１に対し前後に揺動可能に設けられるとともに、表示部材２０を表示部材ホルダー２１に接続するリンク部材２３Ｌ，２３Ｒと、リンク部材２３Ｌ，２３Ｒを駆動する駆動部材２５と、表示部材２０を表示部材ホルダー２１側に引き付ける付勢部材２６と、を備え、駆動部材２５は、付勢部材２６の付勢力に抗してリンク部材２３Ｌ，２３Ｒを前方側に揺動させる。【選択図】図７
2019212944.tif 000002
【特許請求の範囲】
【請求項１】
表示部材と、
前記表示部材の後方に配置される表示部材ホルダーと、
前記表示部材ホルダーに対し前後に揺動可能に設けられるとともに、前記表示部材を前記表示部材ホルダーに接続するリンク部材と、
前記リンク部材を駆動する駆動部材と、
前記表示部材を前記表示部材ホルダー側に引き付ける付勢部材と、を備え、
前記駆動部材は、前記付勢部材の付勢力に抗して前記リンク部材を前方側に揺動させることを特徴とする表示装置。
【請求項２】
前記リンク部材は、互いに左右に離間して前記表示部材ホルダーに左右一対で設けられ、
前記駆動部材は、左右の前記リンク部材の間で左右に移動可能に配置され、左右の前記リンク部材の一方を押圧して前方側へ揺動させることを特徴とする請求項１記載の表示装置。
【請求項３】
前記付勢部材は、左右の前記リンク部材を左右に接続するばねであり、両端が異なる前記リンク部材に接続されて、左右の前記リンク部材を引き寄せる力を生じさせることを特徴とする請求項２記載の表示装置。
【請求項４】
各前記リンク部材は、左右方向の内側端部が、ホルダー側回動軸によって前記表示部材ホルダーに連結され、左右方向の外側端部が、表示部材側回動軸によって前記表示部材に連結され、
前記表示部材ホルダーは、左右方向に延びるガイド溝を備え、
前記駆動部材が前記リンク部材の一方を押圧すると、前記ホルダー側回動軸が前記ガイド溝に沿って移動して前記リンク部材が前方側に揺動することを特徴とする請求項２または３記載の表示装置。
【請求項５】
各前記リンク部材は、前記駆動部材によって押圧される被押圧部と、前記表示部材に回動可能に連結される連結部と、前記被押圧部と前記連結部との間に設けられ、前記表示部材ホルダーに回動可能に支持される軸部とを備え、
前記駆動部材が前記被押圧部を押圧すると、前記リンク部材は、前記軸部を中心に前方に揺動することを特徴とする請求項２または３記載の表示装置。
【請求項６】
前記連結部は、前記表示部材に設けられる連結軸が挿通される長孔であり、
前記表示部材ホルダーは、前記連結軸が挿入される連結軸ガイド溝を備え、
前記連結軸ガイド溝は、前記リンク部材の揺動の軌跡に沿うように前後方向に延びることを特徴とする請求項５記載の表示装置。
【請求項７】
前記リンク部材は、前記表示部材ホルダーの左右の中央部に回動可能に連結される中央連結軸と、前記中央連結軸の後方で前記駆動部材に対し回動可能に連結される駆動部材連結軸と、前記中央連結軸に対し左右の両側方に延出する一対の側方延出部とを備え、
前記表示部材は、一対の前記側方延出部の前方に配置される一対の表示部材側被押圧部を備え、
前記駆動部材の左右方向への移動により、前記駆動部材連結軸を介し前記リンク部材が前記中央連結軸を中心に揺動し、一対の前記表示部材側被押圧部の一方が前記側方延出部によって押圧されることを特徴とする請求項１記載の表示装置。
【請求項８】
前記付勢部材は、前記表示部材と前記表示部材ホルダーとを前後に接続するばねであり、前記リンク部材の左右に一対設けられることを特徴とする請求項７記載の表示装置。
【請求項９】
前記表示部材ホルダーは、前記表示部材に設けられるガイド軸が挿入されるホルダー側ガイド溝を備え、前記ホルダー側ガイド溝は前後方向に延びることを特徴とする請求項７または８記載の表示装置。
【請求項１０】
前記駆動部材を駆動するモーターが設けられ、前記モーターはウォームギアを介して前記駆動部材を駆動することを特徴とする請求項１から９のいずれかに記載の表示装置。
【発明の詳細な説明】
【技術分野】
【０００１】
本発明は、表示装置に関する。
【背景技術】
【０００２】
背景技術として、特開２０１４−１７９７６８号公報（以下、特許文献１と呼ぶ。）がある。特許文献１では、「チルト機構１０は、モニタ１の後方に設けられ、回動支持点２１１Ｌ、２１１Ｒにてモニタ１に回動可能に取り付けられる固定長部分２１Ｌ、２１Ｒに対して伸縮する伸縮部分２２Ｌ、２２Ｒからなる左右一対の伸縮アーム２Ｌ、２Ｒと、伸縮アームを介してモニタ１を保持する保持部材３とを備える。保持部材３は、伸縮部分上の点である後側スライド点２２１Ｌ、２２１Ｒの移動を左右方向に案内するための後側レール３１Ｌ、３１Ｒと、後側レールよりも前方に形成され、固定長部分上の点であって回動支持点よりも後方の点である前側スライド点２１２Ｌ、２１２Ｒを左右方向に案内するための左右案内部３２１Ｌ、３２１Ｒを備えた前側レール３２Ｌ、３２Ｒと、伸縮アームのうちの少なくとも一方の回動支持点を前後方向に案内するための前後方向レール３３とを備える。」と記載されている。
【先行技術文献】
【特許文献】
【０００３】
【特許文献１】特開２０１４−１７９７６８号公報
【発明の概要】
【発明が解決しようとする課題】
【０００４】
しかしながら、特許文献１の表示装置では、表示部材（モニタ１）を左右に傾けるために、カム溝、及び、カム溝に沿うように動く伸縮アーム等を用いるため、構造が複雑になる。
本発明は、上述した事情に鑑みてなされたものであり、簡単な構造で適切に表示部材を傾けることが可能な表示装置を提供することを目的とする。
【課題を解決するための手段】
【０００５】
本発明は、表示部材と、前記表示部材の後方に配置される表示部材ホルダーと、前記表示部材ホルダーに対し前後に揺動可能に設けられるとともに、前記表示部材を前記表示部材ホルダーに接続するリンク部材と、前記リンク部材を駆動する駆動部材と、前記表示部材を前記表示部材ホルダー側に引き付ける付勢部材と、を備え、前記駆動部材は、前記付勢部材の付勢力に抗して前記リンク部材を前方側に揺動させることを特徴とする表示装置を提供する。
【発明の効果】
【０００６】
本発明に係る表示装置では、表示部材を表示部材ホルダー側に引き付ける付勢部材の付勢力に抗して、駆動部材がリンク部材を前方側に揺動させ、リンク部材を介し表示部材を傾けることができる。このため、簡単な構造で適切に表示部材を傾けることができる。
【図面の簡単な説明】
【０００７】
【図１】本発明を適用した第１の実施の形態に係る車載装置の外観構成を示す斜視図である。
【図２】モニターを上方側から見た平面図である。
【図３】モニターを後方側から見た図である。
【図４】表示部材ホルダーを後方側から見た斜視図である。
【図５】駆動部材を後方側から見た斜視図である。
【図６】表示部材を左右方向に傾斜させた状態においてモニターを後方側から見た図である。
【図７】表示部材を左右方向に傾斜させた状態においてモニターを上方側から見た平面図である。
【図８】表示部材を右側に傾斜させた状態においてモニターを上方側から見た平面図である。
【図９】第２の実施の形態において、モニターを上方側から見た平面図である。
【図１０】表示部材を左右方向に傾斜させた状態においてモニターを上方側から見た平面図である。
【図１１】第３の実施の形態モニターを前方側から見た斜視図である。
【図１２】モニターを上方側から見た平面図である。
【図１３】モニターを後方側から見た図である。
【図１４】表示部材及びチルト機構を上方側から見た平面図である。
【図１５】表示部材を左右方向に傾斜させた状態においてモニターを上方側から見た平面図である。
【図１６】表示部材を左右方向に傾斜させた状態においてモニターを上方側から見た平面図である。
【図１７】第４の実施の形態のモニターを前方側から見た斜視図である。
【図１８】モニターを上方側から見た平面図である。
【図１９】モニターを後方側から見た図である。
【図２０】表示部材及びチルト機構を上方側から見た平面図である。
【図２１】表示部材を左右方向に傾斜させた状態においてモニターを上方側から見た平面図である。
【図２２】表示部材を左右方向に傾斜させた状態においてモニターを上方側から見た平面図である。
【発明を実施するための形態】
【０００８】
以下、図面を参照して本発明の実施の形態について説明する。
［第１の実施の形態］
図１は、本発明を適用した第１の実施の形態に係る車載装置１０の外観構成を示す斜視図である。
車載装置１０は、画像を表示するモニター１１（表示装置）を備え、車両内に配置されるものであり、例えば、カーナビゲーション装置である。車載装置１０は、音声を再生する機能も有する。すなわち、車載装置１０はオーディオ装置でもある。
【０００９】
車載装置１０は、例えば、自動車の車室内のダッシュボードに設けられる。車載装置１０は、上記ダッシュボード内に埋め込むようにして配置される箱状の本体部１２と、上記モニター１１とを備える。
本体部１２内には、電子基板や、記録媒体としてのディスクの情報を読み取るディスク装置等が収納される。
モニター１１は、本体部１２の前面に取り付けられ、モニター１１を視認するユーザーの側を向いて配置される。
以下の説明では、モニター１１側から見てユーザー側の方向を前方向、モニター１１の後方を後方向、水平且つ前後方向に対し直交する方向を左右方向、前後方向及び左右方向に直交する方向を上下方向とする。図１には、方向を示す矢印が、前方Ｆｒ、後方Ｒｅ、左方Ｌ、右方Ｒ、上方Ｕ、及び下方Ｄで示される。
【００１０】
モニター１１は、各種の画像（静止画像、動画像、映像）を表示する表示部材２０と、表示部材２０の後方に配置され、表示部材２０を支持する表示部材ホルダー２１とを備える。モニター１１は、表示部材ホルダー２１が本体部１２の前面に固定されることで、本体部１２に取り付けられる。表示部材２０は、例えば液晶ディスプレイであるが、表示機能を有するものであれば液晶ディスプレイに限定されない。
【００１１】
図２は、モニター１１を上方側から見た平面図である。図３は、モニター１１を後方側から見た図である。
図１〜図３を参照し、モニター１１は、表示部材ホルダー２１に対し表示部材２０を左右に傾けることが可能なチルト機構２２を備える。
チルト機構２２は、表示部材２０の上面側で表示部材２０と表示部材ホルダー２１とを接続する左右一対のリンク部材２３Ｌ，２３Ｒと、表示部材２０の下面側で表示部材２０と表示部材ホルダー２１とを接続する左右一対のリンク部材２４Ｌ，２４Ｒと、リンク部材２３Ｌ，２３Ｒ及びリンク部材２４Ｌ，２４Ｒを駆動する駆動部材２５と、リンク部材２３Ｌ，２３Ｒ同士とリンク部材２４Ｌ，２４Ｒ同士を引き付けるように力を加えることでリンク部材２３Ｌ，２３Ｒ及びリンク部材２４Ｌ，２４Ｒを介して表示部材２０を表示部材ホルダー２１側に引き付ける付勢部材２６，２６と、駆動部材２５を左右に駆動する駆動部２７とを備える。
駆動部２７は、モーター２８と、駆動部材２５に噛み合うギア２９と、モーター２８とギア２９との間に介装されるトルクリミッター３０とを備える。
【００１２】
表示部材２０は、正面視で左右方向に長い長方形状の板部材であり、画像を表示する表示面２０ａを前面に備える。
表示部材２０の上面及び下面の左右の両端部には、上下方向に突出する表示部材側回動軸２０ｂがそれぞれ設けられる。
【００１３】
図４は、表示部材ホルダー２１を後方側から見た斜視図である。
図１〜図４を参照し、表示部材ホルダー２１は、正面視で左右方向に長い長方形状であり、略全体が表示部材２０に後方から重なる。
表示部材ホルダー２１は、表示部材２０の後面に対向するホルダー前面部３１と、ホルダー前面部３１の上縁から後方に延出するホルダー上面部３２と、ホルダー前面部３１の下縁から後方に延出するホルダー下面部３３とを備える。
【００１４】
ホルダー上面部３２の左右の両端部には、左右方向に直線状に延びるスリット状のガイド溝３２ａ，３２ａが設けられる。
ホルダー下面部３３の左右の両端部には、左右方向に直線状に延びるスリット状のガイド溝３３ａ，３３ａが設けられる。
ホルダー前面部３１の後面には、後方に突出するガイド突起３１ａが複数設けられる。ガイド突起３１ａは、ホルダー前面部３１の後面の上部に左右一対設けられ、ホルダー前面部３１の後面の下部に左右一対設けられる。ガイド突起３１ａは、ガイド溝３２ａ，３２ａに対し、表示部材ホルダー２１の左右の中央側に配置される。
【００１５】
ホルダー前面部３１の後面において表示部材ホルダー２１の左右の中央部には、上部側から順に、ギア２９を軸支するギア支持軸３１ｂと、トルクリミッター３０を軸支するトルクリミッター支持軸３１ｃと、モーター２８を支持するモーター支持部３１ｄとが設けられる。
【００１６】
上側のリンク部材２３Ｌ，２３Ｒは、ホルダー上面部３２の上面に沿うように延びる板部材である。リンク部材２３Ｌ，２３Ｒは、ホルダー上面部３２から左右方向の外側且つ前方にそれぞれ延びて表示部材２０の上面の左右の端部に連結される。
リンク部材２３Ｌ，２３Ｒは、下方に突出するホルダー側回動軸３５，３５を、左右方向の内側端部に備える。詳細には、ホルダー側回動軸３５，３５は、ホルダー上面部３２のガイド溝３２ａ，３２ａに上方から挿通されてホルダー上面部３２に連結される。
【００１７】
また、リンク部材２３Ｌ，２３Ｒは、表示部材２０の表示部材側回動軸２０ｂ，２０ｂが下方から挿入される連結孔３６，３６を、左右方向の外側端部に備える。
リンク部材２３Ｌ，２３Ｒは、表示部材側回動軸２０ｂ，２０ｂ及びホルダー側回動軸３５，３５を介し、表示部材２０及び表示部材ホルダー２１に対し回動自在に連結される。
【００１８】
さらに、リンク部材２３Ｌ，２３Ｒは、スプリング保持部３７，３７を、左右方向の内側端部に備える。スプリング保持部３７，３７は、下方に延びるピン状であり、ホルダー側回動軸３５，３５に対し、左右の内側且つ後方側に設けられる。
【００１９】
下側のリンク部材２４Ｌ，２４Ｒは、上側のリンク部材２３Ｌ，２３Ｒと上下で対称に設けられる。
リンク部材２４Ｌ，２４Ｒは、ホルダー下面部３３の下面に沿うように延びる板部材である。リンク部材２４Ｌ，２４Ｒは、ホルダー下面部３３から左右方向の外側且つ前方にそれぞれ延びて表示部材２０の下面の左右の端部に連結される。
リンク部材２４Ｌ，２４Ｒは、上方に突出するホルダー側回動軸３９，３９を、左右方向の内側端部に備える。詳細には、ホルダー側回動軸３９，３９は、ホルダー下面部３３のガイド溝３３ａ，３３ａ（図４）に下方から挿通されてホルダー下面部３３に連結される。
【００２０】
また、リンク部材２４Ｌ，２４Ｒは、表示部材２０の表示部材側回動軸２０ｂ，２０ｂが上方から挿入される連結孔（不図示）を、左右方向の外側端部に備える。
リンク部材２４Ｌ，２４Ｒは、表示部材側回動軸２０ｂ，２０ｂ及びホルダー側回動軸３９，３９を介し、表示部材２０及び表示部材ホルダー２１に対し回動自在に連結される。
【００２１】
さらに、リンク部材２４Ｌ，２４Ｒは、スプリング保持部４１，４１(図３)を、左右方向の内側端部に備える。スプリング保持部４１，４１は、上方に延びるピン状であり、ホルダー側回動軸３９，３９に対し、左右の内側且つ後方側に設けられる。
【００２２】
図５は、駆動部材２５を後方側から見た斜視図である。
図２〜図５を参照し、駆動部材２５は、後方側から見ると、略矩形の枠状である。
駆動部材２５は、ホルダー前面部３１の後面に沿うように配置される板部材であり、ホルダー上面部３２とホルダー下面部３３との間に配置される。
詳細には、駆動部材２５は、互いに上下に離間して左右方向に延びる上板部５０及び下板部５１と、上板部５０及び下板部５１の左右の端部を上下に連結する一対の上下連結部５２，５２とを備える。駆動部材２５の枠形状の内側は矩形の開口２５ａとなっている。
【００２３】
上板部５０の上縁部の左右の両端部には、左右方向の外側に突出する押圧部５０ａ，５０ａが設けられる。
上板部５０において押圧部５０ａ，５０ａの下方には、左右方向に延びるスリット状のガイド孔５０ｂ，５０ｂが左右一対設けられる。ガイド孔５０ｂ，５０ｂには、ホルダー前面部３１の上部のガイド突起３１ａ，３１ａが前方から挿通される。
上板部５０の下縁部には、左右方向に配列されるラックギア５０ｃが設けられる。
【００２４】
下板部５１の下縁部の左右の両端部には、左右方向の外側に突出する押圧部５１ａ，５１ａが設けられる。
下板部５１において押圧部５１ａ，５１ａの上方には、左右方向に延びるスリット状のガイド孔５１ｂ，５１ｂが左右一対設けられる。ガイド孔５１ｂ，５１ｂには、ホルダー前面部３１の下部のガイド突起３１ａ，３１ａが前方から挿通される。
【００２５】
上下に一対配置される付勢部材２６，２６は、引張コイルばねである。
上側の付勢部材２６は、一端が左側のリンク部材２３Ｌのスプリング保持部３７に連結され、他端が右側のリンク部材２３Ｒのスプリング保持部３７に連結される。すなわち、上側の付勢部材２６は、左右のリンク部材２３Ｌ，２３Ｒを左右に接続する。上側の付勢部材２６は、押圧部５０ａ，５０ａよりも下方に配置され、表示部材ホルダー２１の内側に位置する。
【００２６】
下側の付勢部材２６は、一端が左側のリンク部材２４Ｌのスプリング保持部４１に連結され、他端が右側のリンク部材２４Ｒのスプリング保持部４１に連結される。下側の付勢部材２６は、左右のリンク部材２４Ｌ，２４Ｒを左右に接続する。下側の付勢部材２６は、押圧部５１ａ，５１ａよりも上方に配置され、表示部材ホルダー２１の内側に位置する。
付勢部材２６，２６は、駆動部材２５の後方に配置され、駆動部材２５に沿って左右方向に延びる。このため、付勢部材２６，２６をコンパクトに配置できる。
【００２７】
図３に示すように、モーター２８、ギア２９、及びトルクリミッター３０は、駆動部材２５の開口２５ａ内に配置され、ホルダー前面部３１に支持される。
モーター２８は、モーター２８の回転軸２８ａがモーターの本体部２８ｂから上方に延びる向きで配置される。回転軸２８ａには、ウォームギア２８ｃが設けられる。
モーター支持部３１ｄは、表示部材ホルダー２１の後面に立設されてモーターの本体部２８ｂの端部を支持する支持片３１ｄ１と、表示部材ホルダー２１の後面の後面を貫通してモーターの本体部２８ｂから逃げる逃げ孔部３１ｄ２とを備える。なお、支持片３１ｄ１は、モーターの本体部２８ｂの上下に対応する位置に一対設けられても良い。
【００２８】
ギア２９は、駆動部材２５のラックギア５０ｃに噛み合う出力ギア部２９ａと、トルクリミッター３０に噛み合う入力ギア部２９ｂとを備える。
トルクリミッター３０は、ウォームギア２８ｃに噛み合う第１ギア部３０ａと、ギア２９の入力ギア部２９ｂに噛み合う第２ギア部３０ｂとを備える。
トルクリミッター３０は、ウォームギア２８ｃとギア２９との間の伝達トルクが所定値を超えると、第１ギア部３０ａと第２ギア部３０ｂとが相対回転することで、伝達トルクを制限する。
【００２９】
図１〜図３では、モニター１１は、表示部材２０が左右に傾かずに正面を向く「中立状態」が示されている。
「中立状態」では、駆動部材２５は、表示部材ホルダー２１の左右の中央部に位置し、リンク部材２３Ｌ，２３Ｒのホルダー側回動軸３５，３５は、表示部材ホルダー２１のガイド溝３２ａ，３２ａの左右の内端側に寄せられている。本第１の実施の形態では、ホルダー側回動軸３５，３５は、ガイド溝３２ａ，３２ａの左右の内端に当接している。
【００３０】
「中立状態」では、上側の付勢部材２６は、自由長から伸ばされた状態でセットされており、スプリング保持部３７，３７を介してリンク部材２３Ｌ，２３Ｒを左右方向の内側に引っ張り、ホルダー側回動軸３５，３５をガイド溝３２ａ，３２ａの左右の内端側に寄せる。
同様に、下側の付勢部材２６は、スプリング保持部４１，４１を介してリンク部材２４Ｌ，２４Ｒを左右方向の内側に引っ張り、ホルダー側回動軸３９，３９を表示部材ホルダー２１のガイド溝３３ａ，３３ａの左右の内端側に寄せる。
【００３１】
「中立状態」では、表示部材２０は、リンク部材２３Ｌ，２３Ｒ及びリンク部材２４Ｌ，２４Ｒによって後方に引き付けられ、表示部材２０の後面が表示部材ホルダー２１の前面に当接する。これにより、表示部材２０は左右に傾いていない状態となる。すなわち、付勢部材２６，２６は、表示部材２０を表示部材ホルダー２１側へ引き付ける付勢力を発生させ、ホルダー側回動軸３５，３９を回転軸としてリンク部材２３Ｌ，２３Ｒ及びリンク部材２４Ｌ，２４Ｒを後面方向に回転させる力（図２に矢印で図示）を発生させる。
【００３２】
図２では、駆動部材２５は、押圧部５０ａ，５０ａの部分の外形のみが図示されている。「中立状態」では、駆動部材２５の押圧部５０ａ，５０ａとホルダー側回動軸３５，３５との間には、左右方向に隙間Ｓが設けられており、押圧部５０ａ，５０ａはホルダー側回動軸３５，３５に当接していない。
同様に、押圧部５１ａ，５１ａとホルダー側回動軸３９，３９との間にも、左右方向に隙間Ｓ（図３）が設けられる。
【００３３】
図６は、表示部材２０を左右方向に傾斜させた状態においてモニター１１を後方側から見た図である。図７は、表示部材２０を左右方向に傾斜させた状態においてモニター１１を上方側から見た平面図である。なお、図７では、駆動部材２５は、押圧部５０ａ，５０ａの部分の外形のみが図示されている。
図６及び図７では、表示部材２０を左右の一方側（左側）に傾斜させた「傾斜状態」が示されている。
【００３４】
モーター２８の駆動によってウォームギア２８ｃが回転されると、トルクリミッター３０及びギア２９を介して駆動部材２５が左右方向に移動し、モニター１１は「傾斜状態」となる。
詳細には、駆動部材２５は、付勢部材２６，２６を伸ばしながら左側にスライド移動し、左側の押圧部５０ａ，５１ａによって、左側のホルダー側回動軸３５，３９を押圧する。すなわち、駆動部材２５は、付勢部材２６，２６の付勢力に抗して左右方向に移動する。
左側の押圧部５０ａ，５１ａによって押圧されるホルダー側回動軸３５，３９は、ガイド溝３２ａ，３３ａ内を、ガイド溝３２ａ，３３ａの左右の外端側に移動する。これにより、表示部材２０の右側の表示部材側回動軸２０ｂを回転軸として後面側から前面側に回転する力（図７に矢印で図示）が発生し、左側のリンク部材２３Ｌ，２４Ｌが前方側に揺動し、左側の表示部材側回動軸２０ｂ，２０ｂが前方に移動することで、表示部材２０が左側に傾斜する。
【００３５】
また、図６及び図７に示すように、「中立状態」に対し駆動部材２５が左側に移動すると、右側の押圧部５０ａ，５１ａは、右側のホルダー側回動軸３５，３９からさらに離れ、隙間Ｓが大きくなる。この状態では、右側のリンク部材２３Ｒ，２４Ｒは、付勢部材２６，２６によって左側に引っ張られるが、ホルダー側回動軸３５，３９が右側のガイド溝３２ａ，３２ａの左右の内端に当接することで、移動を規制される。すなわち、右側のリンク部材２３Ｒ，２４Ｒの姿勢は、「中立状態」と「傾斜状態」との間でほとんど変化しない。表示部材２０は、右側の表示部材側回動軸２０ｂを中心として図７中で半時計方向に回転するが、表示部材２０の表示部材ホルダー２１に当接している曲面部２０ｃは、表示部材側回動軸２０ｂを中心とする円弧形状であるため、表示部材２０が回転しても右側の表示部材側回動軸２０ｂの位置は変わらない。よって、この表示部材側回動軸２０ｂに係合しているリンク部材２３Ｒ，２４Ｒの姿勢も変化しない。すなわち、モニター１１は、表示部材２０を左側に傾斜させた際に、右側のリンク部材２３Ｒ，２４Ｒの姿勢が、「中立状態」と「傾斜状態」との間で変化しないように設計されている。
このため、表示部材２０を左右の一方側（左側）に傾斜させた場合であっても、左右の他方側（右側）では、表示部材２０の姿勢の変化が少なく、表示部材２０を適切に左右に傾斜させることができる。
また、表示部材２０の後面の左右の端部に設けられる曲面部２０ｃは、上面視で曲面状である。表示部材２０は、左右に傾斜する際、曲面部２０ｃを介してホルダー前面部３１に当接する。このため、表示部材２０をスムーズに傾斜させることができる。
【００３６】
付勢部材２６，２６の付勢力は、駆動部材２５とリンク部材２３Ｌ，２３Ｒ及びリンク部材２４Ｌ，２４Ｒとの間に作用している。このため、駆動部材２５とリンク部材２３Ｌ，２３Ｒ及びリンク部材２４Ｌ，２４Ｒとの間のガタツキを付勢力によって低減でき、表示部材２０を適切に左右に傾斜させることができる。
「中立状態」では、駆動部材２５とリンク部材２３Ｌ，２３Ｒ及びリンク部材２４Ｌ，２４Ｒとの間に隙間Ｓが設定されているため、表示部材２０の後面が表示部材ホルダー２１の前面に良好に当接する。しかし、「傾斜状態」では、駆動部材２５とリンク部材２３Ｌ，２３Ｒ及びリンク部材２４Ｌ，２４Ｒとの間のガタツキ（隙間）は小さいことが望ましい。モニター１１では、付勢部材２６，２６の付勢力によって上記ガタツキを効果的に低減できる。
【００３７】
図８は、表示部材２０を右側に傾斜させた状態においてモニター１１を上方側から見た平面図である。
モーター２８の駆動によって図７の場合とは逆方向にウォームギア２８ｃが回転されると、図８に示すように、モニター１１は右側に傾斜する「傾斜状態」となる。
詳細には、駆動部材２５は、付勢部材２６，２６を伸ばしながら右側にスライド移動し、右側の押圧部５０ａ，５１ａによって、右側のホルダー側回動軸３５，３９を押圧する。なお、左側の押圧部５０ａ，５１ａは、左側のホルダー側回動軸３５，３９からさらに離れ、隙間Ｓが大きくなる。
右側の押圧部５０ａ，５１ａによって押圧されるホルダー側回動軸３５，３９は、ガイド溝３２ａ，３３ａ内を、ガイド溝３２ａ，３３ａの左右の外端側に移動する。これにより、右側のリンク部材２３Ｒ，２４Ｒが前方側に揺動し、右側の表示部材側回動軸２０ｂ，２０ｂが前方に移動することで、表示部材２０が右側に傾斜する。この状態では、左側のリンク部材２３Ｌ，２４Ｌの姿勢は、「中立状態」と「傾斜状態」との間でほとんど変化しない。
表示部材２０は、左側の表示部材側回動軸２０ｂを中心として図８中で時計方向に回転するが、表示部材２０の表示部材ホルダー２１に当接している曲面部２０ｃは、表示部材側回動軸２０ｂを中心とする円弧形状であるため、表示部材２０が回転しても左側の表示部材側回動軸２０ｂの位置は変わらない。よって、この表示部材側回動軸２０ｂに係合しているリンク部材２３Ｌ，２４Ｌの姿勢も変化しない。すなわち、モニター１１は、表示部材２０を右側に傾斜させた際に、左側のリンク部材２３Ｌ，２４Ｌの姿勢が、「中立状態」と「傾斜状態」との間で変化しないように設計されている。
【００３８】
図７及び図８では、表示部材２０を左右の限界位置まで傾斜させた状態が示されるが、表示部材２０は、モーター２８の回転量の調整によって、「中立状態」と左右の限界位置との間の任意の傾斜状態にセットされることができる。
表示部材２０の傾斜の限界位置は、ホルダー側回動軸３５，３９が、ガイド溝３２ａ，３３ａの左右方向の外端に突き当たることで決まる。
チルト機構２２では、モーター２８は、ウォームギア２８ｃを介して、駆動部材２５、リンク部材２３Ｒ，２４Ｒ、及びリンク部材２４Ｌ，２４Ｒを駆動する。これにより、ウォームギア２８ｃの進み角が小さいことによるセルフロック作用によって、表示部材２０を強固に保持できる。このため、表示部材２０に対し、表示部材２０の左右の傾斜を変化させる外力が作用した場合であっても、表示部材２０を任意の傾斜角に保持しておくことができる。
ただし、表示部材２０に過度の外力が作用した場合は、表示部材２０に連結されている関連部材の破損防止のために、トルクリミッター３０の第１ギア部３０ａと第２ギア部３０ｂとが相対回転する。
【００３９】
以上説明したように、本発明を適用した第１の実施の形態によれば、モニター１１は、表示部材２０と、表示部材２０の後方に配置される表示部材ホルダー２１と、表示部材ホルダー２１に対し前後に揺動可能に設けられるとともに、表示部材２０を表示部材ホルダー２１に接続するリンク部材２３Ｌ，２３Ｒ及びリンク部材２４Ｌ，２４Ｒと、リンク部材２３Ｌ，２３Ｒ及びリンク部材２４Ｌ，２４Ｒを駆動する駆動部材２５と、表示部材２０を表示部材ホルダー２１側に引き付ける付勢部材２６，２６と、を備え、駆動部材２５は、付勢部材２６，２６の付勢力に抗してリンク部材２３Ｌ，２４Ｌ及びリンク部材２３Ｒ，２４Ｒを前方側に揺動させる。この構成によれば、表示部材２０を表示部材ホルダー２１側に引き付ける付勢部材２６，２６の付勢力に抗して、駆動部材２５がリンク部材２３Ｌ，２４Ｌ及びリンク部材２３Ｒ，２４Ｒを前方側に揺動させ、リンク部材２３Ｌ，２４Ｌ及びリンク部材２３Ｒ，２４Ｒを介し表示部材２０を傾けることができる。このため、簡単な構造で適切に表示部材２０を傾けることができる。
【００４０】
また、リンク部材２３Ｌ，２３Ｒ及びリンク部材２４Ｌ，２４Ｒは、互いに左右に離間して表示部材ホルダー２１に左右一対で設けられ、駆動部材２５は、左右のリンク部材２３Ｌ，２３Ｒの間、及び、左右のリンク部材２４Ｌ，２４Ｒの間で左右に移動可能に配置され、左右のリンク部材の一方（例えば、左側であればリンク部材２３Ｌ，２４Ｌ）を押圧して前方側へ揺動させる。この構成によれば、駆動部材２５がリンク部材２３Ｌ，２４Ｌを押圧することで表示部材２０を傾けることができるため、簡単な構造で表示部材２０を傾けることができる。また、駆動部材２５は、左右のリンク部材の他方側のリンク部材２３Ｒ，２４Ｒの姿勢を変化させずに、一方側のリンク部材２３Ｌ，２４Ｌを押圧できるため、適切に表示部材２０を傾けることができる。
また、上側の付勢部材２６は、左右のリンク部材２３Ｌ，２３Ｒを左右に接続するばねであり、両端が異なるリンク部材２３Ｌ，２３Ｒに接続されて、左右のリンク部材２３Ｌ，２３Ｒを引き寄せる力を生じさせる。下側の付勢部材２６は、左右のリンク部材２４Ｌ，２４Ｒを左右に接続するばねであり、両端が異なるリンク部材２４Ｌ，２４Ｒに接続されて、左右のリンク部材２４Ｌ，２４Ｒを引き寄せる力を生じさせる。この構成によれば、１つの付勢部材２６によって、左右のリンク部材２３Ｌ，２３Ｒ及びリンク部材２４Ｌ，２４Ｒをそれぞれ適切に付勢できる。また、付勢部材２６を前後にコンパクトに配置できる。さらに、リンク部材２３Ｌ，２３Ｒ及びリンク部材２４Ｌ，２４Ｒのガタツキを付勢力によって低減できる。
【００４１】
また、リンク部材２３Ｌ，２３Ｒは、左右方向の内側端部が、ホルダー側回動軸３５，３５によって表示部材ホルダー２１に連結され、左右方向の外側端部が、表示部材側回動軸２０ｂ，２０ｂによって表示部材２０に連結される。リンク部材２４Ｌ，２４Ｒは、左右方向の内側端部が、ホルダー側回動軸３９，３９によって表示部材ホルダー２１に連結され、左右方向の外側端部が、表示部材側回動軸２０ｂ，２０ｂによって表示部材２０に連結される。表示部材ホルダー２１は、左右方向に延びるガイド溝３２ａ，３２ａ及びガイド溝３３ａ，３３ａを備え、駆動部材２５がリンク部材の一方（例えば、左側であればリンク部材２３Ｌ，２４Ｌ）を押圧すると、左側のホルダー側回動軸３５，３９がガイド溝３２ａ，３３ａに沿って移動してリンク部材２３Ｌ，２４Ｌが前方側に揺動する。この構成によれば、表示部材ホルダー２１のガイド溝３２ａ，３３ａによって、ホルダー側回動軸３５，３９を介してリンク部材２３Ｌ，２４Ｌの前方への揺動をガイドできる。このため、適切に表示部材２０を傾けることができる。
さらに、駆動部材２５を駆動するモーター２８が設けられ、モーター２８はウォームギア２８ｃを介して駆動部材２５を駆動する。この構成によれば、モーター２８による駆動によって表示部材２０を自動で傾けることができる。また、ウォームギア２８ｃによるセルフロックの作用によって駆動部材２５の移動を規制でき、表示部材２０を任意の傾斜位置に保持できる。ただし、表示部材２０に過度の外力が作用した場合は、表示部材２０に連結されている関連部材の破損防止のために、トルクリミッター３０の第１ギア部３０ａと第２ギア部３０ｂとが相対回転する。
【００４２】
［第２の実施の形態］
以下、図９及び図１０を参照して、本発明を適用した第２の実施の形態について説明する。この第２の実施の形態において、上記第１の実施の形態と同様に構成される部分については、同符号を付して説明を省略する。
本第２の実施の形態は、左右のリンク部材２２３Ｌ，２２３Ｒが、上記第１の実施の形態に比して左右の内側に設けられる点が、上記第１の実施の形態と異なる。
【００４３】
図９は、第２の実施の形態において、モニター２１１を上方側から見た平面図である。図１０は、表示部材２０を左右方向に傾斜させた状態においてモニター２１１を上方側から見た平面図である。
モニター２１１は、チルト機構２２２を備える。チルト機構２２２は、表示部材２０の上面側で表示部材２０と表示部材ホルダー２１とを接続する左右一対のリンク部材２２３Ｌ，２２３Ｒ及び駆動部材２２５を備える。リンク部材２２３Ｌ，２２３Ｒは、上記第１の実施の形態のリンク部材２３Ｌ，２３Ｒに比して、左右方向の内側に配置される。
また、上記第１の実施の形態のリンク部材２４Ｌ，２４Ｒに替えて設けられる下側のリンク部材（不図示）も、リンク部材２４Ｌ，２４Ｒに比して左右方向の内側に配置される。この下側のリンク部材側の構成は、リンク部材２２３Ｌ，２２３Ｒ側の構成と上下で対称であるため、詳細な説明は省略する。
【００４４】
リンク部材２２３Ｌ，２２３Ｒは、ホルダー側回動軸３５，３５、連結孔３６，３６、及びスプリング保持部３７，３７を備える。
表示部材ホルダー２１のガイド溝２３２ａ，２３２ａ、表示部材２０の表示部材側回動軸２２０ｂ，２２０ｂ、及び駆動部材２２５の押圧部２５０ａ，２５０ａは、リンク部材２２３Ｌ，２２３Ｒに合わせ、上記第１の実施の形態に比して、左右方向の内側に配置される。
スプリング保持部３７，３７は、付勢部材２２６によって左右に連結され、付勢部材２２６の付勢力によって左右方向の内側に引っ張られる。
【００４５】
モーター２８の駆動によって駆動部材２２５が左側に移動すると、押圧部２５０ａによって押されるホルダー側回動軸３５がガイド溝２３２ａを左右方向の外側に移動し、リンク部材２２３Ｌが前方に揺動する。これにより、表示部材２０が左側に傾斜する。
本第２の実施の形態では、リンク部材２２３Ｌ，２２３Ｒが左右方向の内側に配置されるため、駆動部材２２５の左右の移動量を小さくできる。このため、駆動部材２２５の左右の側方に部品等の配置スペースを確保し易い。
また、本第２の実施の形態では、表示部材２０の左右の端部よりも左右方向の内側に大きく離れた位置でリンク部材２２３Ｌ，２２３Ｒによって表示部材２０を前方へ揺動させるため、表示部材２０の傾斜角度を大きくできる。
【００４６】
［第３の実施の形態］
以下、図１１〜図１６を参照して、本発明を適用した第３の実施の形態について説明する。この第３の実施の形態において、上記第１の実施の形態と同様に構成される部分については、同符号を付して説明を省略する。
本第３の実施の形態は、リンク部材等の構造が、上記第１の実施の形態と異なる。
【００４７】
図１１は、第３の実施の形態のモニター３１１（表示装置）を前方側から見た斜視図である。
モニター３１１は、表示部材３２０と、表示部材３２０の後方に配置され、表示部材３２０を支持する表示部材ホルダー３２１とを備える。モニター３１１は、表示部材ホルダー３２１が本体部１２（図１）の前面に固定されることで、本体部１２に取り付けられる。
【００４８】
図１２は、モニター３１１を上方側から見た平面図である。図１３は、モニター３１１を後方側から見た図である。
図１１〜図１３を参照し、モニター３１１は、表示部材ホルダー３２１に対し表示部材３２０を左右に傾けることが可能なチルト機構３２２を備える。
チルト機構３２２は、表示部材３２０と表示部材ホルダー３２１とを接続する左右一対のリンク部材３２３Ｌ，３２３Ｒと、駆動部材３２５と、表示部材３２０を表示部材ホルダー３２１側に引き付ける付勢部材３２６，３２６と、駆動部２７とを備える。
【００４９】
図１４は、表示部材３２０及びチルト機構３２２を上方側から見た平面図である。図１４では、表示部材ホルダー３２１及び駆動部２７は不図示である。
図１１〜図１４を参照し、表示部材３２０は、正面視で左右方向に長い長方形状の板部材であり、画像を表示する表示面３２０ａを前面に備える。
表示部材３２０の上面部及び下面部の左右の両端部には、後面から後方に突出する突出部３２０ｂがそれぞれ設けられる。また、表示部材３２０の上面部及び下面部の左右の両端部には、上下方向に窪む段部３２０ｃがそれぞれ設けられる。各段部３２０ｃにおいて突出部３２０ｂの部分には、上下方向に突出する連結軸３２０ｄが設けられる。
【００５０】
表示部材ホルダー３２１は、前面が開口した箱状部材である。表示部材ホルダー３２１は、正面視で左右方向に長い長方形状であり、表示部材３２０に後方から重なり、内部に表示部材３２０を収納する。
表示部材ホルダー３２１は、表示部材３２０の後面に対向する長方形状のホルダー後面部３３１と、ホルダー後面部３３１の上縁から前方に延出するホルダー上面部３３２と、ホルダー後面部３３１の下縁から前方に延出するホルダー下面部３３３と、ホルダー後面部３３１の左右の側縁から前方に延出する一対のホルダー側面部３３４，３３４とを備える。表示部材ホルダー３２１の前面は、全体が開口３３５となっている。
【００５１】
表示部材３２０は、開口３３５から表示部材ホルダー３２１内に配置され、表示部材ホルダー３２１内に収納される。
ホルダー後面部３３１の上端部の左右の端部及び下端部の左右の端部には、ホルダー後面部３３１を前後に貫通するスリット状の孔部３３１ａがそれぞれ設けられる。
ホルダー後面部３３１の後面には、ガイド突起３１ａ、ギア支持軸３１ｂ、トルクリミッター支持軸３１ｃ、及びモーター支持部３１ｄが設けられる。
【００５２】
ホルダー上面部３３２の左右の端部及びホルダー下面部３３３の左右の端部には、前後に延びるスリット状の連結軸ガイド溝３３６がそれぞれ設けられる。
また、ホルダー上面部３３２の左右の端部及びホルダー下面部３３３の左右の端部には、軸支持部３３７がそれぞれ設けられる。軸支持部３３７は、ホルダー上面部３３２及びホルダー下面部３３３を貫通する丸孔である。軸支持部３３７は、連結軸ガイド溝３３６よりも左右方向の内側に配置される。
連結軸ガイド溝３３６は円弧形状に前後に延び、連結軸ガイド溝３３６の円弧の中心は左右の反対側の連結軸ガイド溝３３６の後方側端部に位置する。
連結軸ガイド溝３３６の内側から、表示部材３２０の連結軸３２０ｄが外側へ貫通する。表示部材３２０は、左右片方の連結軸ガイド溝３３６に沿った軌跡で左右に回動する。
【００５３】
左右一対のリンク部材３２３Ｌ，３２３Ｒは、表示部材３２０の上面側と下面側とにそれぞれ配置され、上面側と下面側とで上下に対称に設けられる。ここでは、主として上面側のものを参照して説明する。
リンク部材３２３Ｌ，３２３Ｒは、表示部材３２０の上面及び下面に沿うように延びる板部材である。
各リンク部材３２３Ｌ，３２３Ｒは、左右方向に延びる腕部３３８と、腕部３３８の左右の内端部から後方に延びる被押圧部３３９とを備え、腕部３３８及び被押圧部３３９によって平面視で略Ｌ字状に形成される。
【００５４】
リンク部材３２３Ｌ，３２３Ｒは、腕部３３８の左右の内端部から上下方向に突出する軸部３４０と、腕部３３８の左右の外端部に設けられる連結部３４１と、被押圧部３３９の後端部から上下方向に突出するピン状の突起３３９ａとを備える。
詳細には、上側のリンク部材３２３Ｌ，３２３Ｒでは、軸部３４０は上方に突出し、被突起３３９ａは下方に突出する。
下側のリンク部材３２３Ｌ，３２３Ｒでは、軸部３４０は下方に突出し、被押圧部３３９は上方に突出する。
【００５５】
リンク部材３２３Ｌ，３２３Ｒは、軸部３４０がホルダー上面部３３２及びホルダー下面部３３３の軸支持部３３７に軸支されることで、表示部材ホルダー３２１に回動可能に支持される。上側のリンク部材３２３Ｌ，３２３Ｒでは、軸部３４０は、軸支持部３３２ｂに下方から挿通される。下側のリンク部材３２３Ｌ，３２３Ｒでは、軸部３４０は、軸支持部３３２ｂに上方から挿通される。
軸部３４０は、上記Ｌ字の延在方向において、連結部３４１と突起３３９ａとの間に設けられる。軸部３４０は、平面視において連結部３４１を連結部３４１の延在方向に延長した延長線と、平面視において突起３３９ａから連結部３４１の上記延長線に向かって直交する直線とが交差する交点部に設けられる。
【００５６】
リンク部材３２３Ｌ，３２３Ｒの連結部３４１は、左右方向に延びる長孔である。リンク部材３２３Ｌ，３２３Ｒは、連結部３４１に表示部材３２０の連結軸３２０ｄが連結されることで、表示部材３２０に回動可能に連結される。すなわち、リンク部材３２３Ｌ，３２３Ｒは、表示部材３２０を表示部材ホルダー３２１に接続する。
上側のリンク部材３２３Ｌ，３２３Ｒでは、連結軸３２０ｄは、連結部３４１に下方から挿通される。下側のリンク部材３２３Ｌ，３２３Ｒでは、連結軸３２０ｄは、連結部３４１に上方から挿通される。
【００５７】
リンク部材３２３Ｌ，３２３Ｒの被押圧部３３９の突起３３９ａには、駆動部材３２５が左右方向の内側から当接可能である。
リンク部材３２３Ｌ，３２３Ｒは、表示部材３２０の上面部及び下面部に設けられる段部３２０ｃに配置され、表示部材３２０とホルダー上面部３３２との間、及び、表示部材３２０とホルダー下面部３３３との間に位置する。これにより、リンク部材３２３Ｌ，３２３Ｒを表示部材ホルダー３２１の内側に隠すことができ、外観性が良い。
リンク部材３２３Ｌ，３２３Ｒ、及び、モニター３１１の突出部３２０ｂは、ホルダー後面部３３１の各孔部３３１ａを前後に通る。
【００５８】
図１３を参照し、駆動部材３２５は、ホルダー後面部３３１の後面に沿うように設けられる略矩形の枠状である。
駆動部材３２５は、上板部５０、下板部５１、上下連結部５２，５２、開口２５ａ、ガイド孔５０ｂ、及びラックギア５０ｃを備える。
上板部５０の上縁部の左右の両端部及び下板部５１の左右の両端部には、突起３３９ａに当接可能な押圧部３５０ａが設けられる。
【００５９】
上下に一対配置される付勢部材３２６，３２６は、左右方向に延びる引張コイルばねである。
付勢部材３２６，３２６は、一端が左側のリンク部材３２３Ｌの突起３３９ａに連結され、他端が右側のリンク部材３２３Ｒの突起３３９ａに連結される。突起３３９ａは、押圧部３５０ａによって押圧される部分であるとともに、付勢部材３２６を保持するスプリング保持部である。
各付勢部材３２６は、突起３３９ａを介し、左右のリンク部材３２３Ｌ，３２３Ｒを左右に接続する。付勢部材３２６は、上下方向では、押圧部３５０ａとガイド突起３１ａとの間に配置される。
【００６０】
図１１〜図１４では、モニター３１１は、表示部材３２０が左右に傾かずに正面を向く「中立状態」が示されている。
「中立状態」では、図１３に示すように、駆動部材３２５は、表示部材ホルダー３２１の左右の中央部に位置する。
「中立状態」では、リンク部材３２３Ｌ，３２３Ｒは、付勢部材３２６によって左右方向の内側に引っ張られることで、軸部３４０を回動中心として腕部３３８が後方に揺動する向きに付勢されている。これにより、リンク部材３２３Ｌ，３２３Ｒは、腕部３３８の連結部３４１及び連結軸３２０ｄを介し、表示部材３２０を後方側に引き付け、表示部材３２０の後面をホルダー後面部３３１側に寄せる。
すなわち、付勢部材３２６は、表示部材３２０を表示部材ホルダー３２１側へ引き付ける付勢力を発生させる。
【００６１】
図１４では、駆動部材３２５は、押圧部３５０ａ，３５０ａの部分の外形のみが図示されている。
「中立状態」では、駆動部材３２５の押圧部３５０ａ，３５０ａと突起３３９ａ，３３９ａとの間には、左右方向に隙間Ｓが設けられており、押圧部３５０ａ，３５０ａは突起３３９ａ，３３９ａに当接していない。
【００６２】
図１５及び図１６は、表示部材３２０を左右方向に傾斜させた状態においてモニター３１１を上方側から見た平面図である。なお、図１６では、表示部材ホルダー３２１及び駆動部２７は不図示であるとともに、駆動部材３２５は、押圧部３５０ａ，３５０ａの部分の外形のみが図示されている。
図１５及び図１６では、表示部材３２０を左右の一方側（左側）に傾斜させた「傾斜状態」が示されている。
【００６３】
モーター２８の駆動によってウォームギア２８ｃが回転されると、トルクリミッター３０及びギア２９を介して駆動部材３２５が左右方向に移動し、モニター３１１は「傾斜状態」となる。
詳細には、駆動部材３２５は、付勢部材３２６，３２６を伸ばしながら左側にスライド移動し、左側の押圧部３５０ａ，３５０ａによって、左側の突起３３９ａ，３３９ａを押圧する。すなわち、駆動部材３２５は、付勢部材３２６，３２６の付勢力に抗して左右方向に移動する。
【００６４】
左側のリンク部材３２３Ｌ，３２３Ｌは、駆動部材３２５によって突起３３９ａ，３３９ａが押圧されると、軸部３４０を回動中心として腕部３３８が前方に揺動する。これにより、左側の連結軸３２０ｄ，３２０ｄが前方に移動することで、表示部材３２０が左側に傾斜する。
詳細には、連結軸３２０ｄは、表示部材ホルダー３２１の連結軸ガイド溝３３６にガイドされ、連結軸ガイド溝３３６内を前方に移動するとともに、リンク部材３２３Ｌの連結部３４１内を左右方向の内側に移動して、左右の軸部３４０，３４０の中心同士を結ぶ直線を越えてから外側に移動する。
連結軸ガイド溝３３６は、円弧形状に前後に延び、連結軸ガイド溝３３６の円弧の中心は、左右の反対側の連結軸ガイド溝３３６の後方側端部に位置する。リンク部材３２３Ｌの前方への揺動は、連結軸３２０ｄが連結軸ガイド溝３３６の前端に当接することで規制される。
【００６５】
また、図１６に示すように、「中立状態」に対し駆動部材３２５が左側に移動すると、右側の押圧部３５０ａは、右側の突起３３９ａからさらに離れ、隙間Ｓが大きくなる。この状態では、右側のリンク部材３２３Ｒ，３２３Ｒは、付勢部材３２６，３２６によって左側に引っ張られ、表示部材３２０の後面の右端部をホルダー後面部３３１側に引き寄せる。
表示部材３２０は、左側の連結軸３２０ｄを中心として図中の半時計方向に回転するが、右側の連結軸３２０ｄは、連結軸ガイド溝３３６の後方側端部に当接したままなので、位置は変わらない。よって、この連結軸３２０ｄに係合している右側のリンク部材３２３Ｒ，３２３Ｒの姿勢は「中立状態」と「傾斜状態」との間で変化しない。このため、表示部材３２０を左右の一方側（左側）に傾斜させた場合であっても、左右の他方側（右側）では、表示部材３２０の姿勢の変化が少なく、表示部材３２０を適切に左右に傾斜させることができる。
【００６６】
表示部材３２０は、モーター２８が図１５の場合とは逆方向に回転されることで、右側に傾斜する。また、表示部材３２０は、モーター２８の回転量の調整によって、任意の傾斜状態にセットされることができる。
【００６７】
以上説明したように、本発明を適用した第３の実施の形態によれば、モニター３１１は、表示部材３２０と、表示部材３２０の後方に配置される表示部材ホルダー３２１と、表示部材ホルダー３２１に対し前後に揺動可能に設けられるとともに、表示部材３２０を表示部材ホルダー３２１に接続するリンク部材３２３Ｌ，３２３Ｒと、リンク部材３２３Ｌ，３２３Ｒを駆動する駆動部材３２５と、表示部材３２０を表示部材ホルダー３２１側に引き付ける付勢部材３２６と、を備え、駆動部材３２５は、付勢部材３２６の付勢力に抗してリンク部材３２３Ｌ，３２３Ｒを前方側に揺動させる。この構成によれば、表示部材３２０を表示部材ホルダー３２１側に引き付ける付勢部材３２６の付勢力に抗して、駆動部材３２５がリンク部材３２３Ｌ，３２３Ｒを前方側に揺動させ、リンク部材３２３Ｌ，３２３Ｒを介し表示部材３２０を傾けることができる。このため、簡単な構造で適切に表示部材３２０を傾けることができる。
【００６８】
また、リンク部材３２３Ｌ，３２３Ｒは、駆動部材３２５によって押圧される被押圧部３３９と、表示部材３２０に回動可能に連結される連結部３４１と、被押圧部３３９と連結部３４１との間に設けられ、表示部材ホルダー３２１に回動可能に支持される軸部３４０とを備え、駆動部材３２５が被押圧部３３９を押圧すると、リンク部材３２３Ｌは、軸部３４０を中心に前方に揺動する。この構成によれば、表示部材ホルダー３２１に回動可能に支持される軸部３４０を中心に揺動するリンク部材３２３Ｌによって、簡単な構造で表示部材３２０を傾けることができる。
【００６９】
また、連結部３４１は、表示部材３２０に設けられる連結軸３２０ｄが挿通される長孔であり、表示部材ホルダー３２１は、連結軸３２０ｄが挿入される連結軸ガイド溝３３６を備え、連結軸ガイド溝３３６は、リンク部材３２３Ｌ，３２３Ｒの揺動の軌跡に沿うように前後方向に延びる。この構成によれば、表示部材ホルダー３２１に設けられて前後方向に延びる連結軸ガイド溝３３６によって、前後に揺動するように表示部材３２０をガイドできる。このため、適切に表示部材３２０を傾けることができる。
【００７０】
［第４の実施の形態］
以下、図１７〜図２２を参照して、本発明を適用した第４の実施の形態について説明する。この第４の実施の形態において、上記第１の実施の形態と同様に構成される部分については、同符号を付して説明を省略する。
本第４の実施の形態は、リンク部材等の構造が、上記第１の実施の形態と異なる。
【００７１】
図１７は、第４の実施の形態モニター４１１（表示装置）を前方側から見た斜視図である。
モニター４１１は、表示部材４２０と、表示部材４２０の後方に配置され、表示部材４２０を支持する表示部材ホルダー４２１とを備える。モニター４１１は、表示部材ホルダー４２１が本体部１２（図１）の前面に固定されることで、本体部１２に取り付けられる。
【００７２】
図１８は、モニター４１１を上方側から見た平面図である。図１９は、モニター４１１を後方側から見た図である。
図１７〜図１９を参照し、モニター４１１は、表示部材ホルダー４２１に対し表示部材４２０を左右に傾けることが可能なチルト機構４２２を備える。
チルト機構４２２は、表示部材４２０と表示部材ホルダー４２１とを接続するリンク部材４２３と、リンク部材４２３を駆動する駆動部材４２５と、表示部材４２０を表示部材ホルダー４２１側に引き付ける付勢部材４２６，４２６と、駆動部２７とを備える。
【００７３】
図２０は、表示部材４２０及びチルト機構４２２を上方側から見た平面図である。図２０では、表示部材ホルダー４２１及び駆動部２７は不図示である。
図１７〜図２０を参照し、表示部材４２０は、正面視で左右方向に長い長方形状の板部材であり、画像を表示する表示面４２０ａを前面に備える。
表示部材４２０の上面部及び下面部の左右の両端部には、後面から後方に突出する突出部４２０ｂがそれぞれ設けられる。突出部４２０ｂには、上下方向に突出するガイド軸４２０ｃが設けられる。
【００７４】
表示部材４２０の上面部及び下面部の左右の中央部には、上下方向に窪む段部４２０ｄが設けられる。
また、表示部材４２０の上面部及び下面部の左右の中央部には、上下方向に突出する表示部材側被押圧部４２０ｅが設けられる。表示部材側被押圧部４２０ｅは、表示部材４２０の左右の中心に対し、左右に振り分けて一対設けられる。表示部材側被押圧部４２０ｅは、段部４２０ｄに配置される。
さらに、表示部材４２０の上面部及び下面部には、上下方向に突出するスプリング連結部４２０ｆが設けられる。スプリング連結部４２０ｆは、段部４２０ｄ内において表示部材側被押圧部４２０ｅの外側方に配置される。スプリング連結部４２０ｆは、表示部材４２０の左右の中心に対し、左右に振り分けて一対設けられる。
【００７５】
表示部材ホルダー４２１は、前面が開口した箱状部材である。表示部材ホルダー４２１は、正面視で左右方向に長い長方形状であり、表示部材４２０に後方から重なり、内部に表示部材４２０を収納する。
表示部材ホルダー４２１は、表示部材４２０の後面に対向する長方形状のホルダー後面部４３１と、ホルダー後面部４３１の上縁から前方に延出するホルダー上面部４３２と、ホルダー後面部４３１の下縁から前方に延出するホルダー下面部４３３と、ホルダー後面部４３１の左右の側縁から前方に延出する一対のホルダー側面部４３４，４３４とを備える。表示部材ホルダー４２１の前面は、全体が開口４３５（図１７）となっている。
【００７６】
表示部材４２０は、開口４３５から表示部材ホルダー４２１内に配置され、表示部材ホルダー４２１内に収納される。
ホルダー後面部４３１の上端部の左右の端部及び下端部の左右の端部には、ホルダー後面部４３１を前後に貫通するスリット状の孔部４３１ａがそれぞれ設けられる。孔部４３１ａには、表示部材４２０の突出部４２０ｂが前後方向に通される。
ホルダー後面部４３１の後面には、ガイド突起３１ａ、ギア支持軸３１ｂ、トルクリミッター支持軸３１ｃ、及びモーター支持部３１ｄが設けられる。
【００７７】
ホルダー上面部４３２の左右の端部及びホルダー下面部４３３の左右の端部には、前後に延びるスリット状のホルダー側ガイド溝４３６がそれぞれ設けられる。
ホルダー側ガイド溝４３６は、平面視において円弧形状で、ホルダー側ガイド溝４３６の円弧の中心は、左右の反対側のホルダー側ガイド溝４３６の後方側端部に位置する。
ホルダー上面部４３２の左右の中央部、及び、ホルダー下面部４３３の左右の中央部には、中央側軸支持部４３７がそれぞれ設けられる。中央側軸支持部４３７は、ホルダー上面部４３２及びホルダー下面部４３３を貫通する丸孔である。
また、ホルダー上面部４３２及びホルダー下面部４３３において、中央側軸支持部４３７とホルダー側ガイド溝４３６との間には、前後に延びる開口部４３８が左右一対で設けられる。開口部４３８の後端部には、スプリング連結部４３８ａが設けられる。
【００７８】
リンク部材４２３は、表示部材４２０の上面側と下面側とにそれぞれ配置され、上面側と下面側とで上下に対称に設けられる。ここでは、主として上面側のものを参照して説明する。
リンク部材４２３は、表示部材４２０の上面及び下面に沿うように延びる板部材である。
リンク部材４２３は、表示部材４２０の左右の中央部に配置される中央部４４０と、中央部４４０から左右の外側に延出する左右一対の側方延出部４４１と、中央部４４０の前端部に設けられる中央連結軸４４２と、中央部４４０の後端部に設けられる駆動部材連結軸４４３とを備える。
【００７９】
リンク部材４２３は、平面視で略菱形状であり、側方延出部４４１は、左右の外側に行くほど先細る腕状に形成される。なお、リンク部材４２３の形は、略菱形形状に限らず、十字型でも、山型でも良い。
中央連結軸４４２及び駆動部材連結軸４４３は、表示部材４２０の左右の中心に対応する位置に配置され、駆動部材連結軸４４３は中央連結軸４４２の後方に位置する。
詳細には、上側のリンク部材４２３では、中央連結軸４４２は上方に突出し、駆動部材連結軸４４３は下方に突出する。下側のリンク部材４２３では、中央連結軸４４２は下方に突出し、駆動部材連結軸４４３は上方に突出する。
【００８０】
上下のリンク部材４２３，４２３は、中央連結軸４４２がホルダー上面部４３２及びホルダー下面部４３３の中央側軸支持部４３７に軸支されることで、表示部材ホルダー４２１に回動可能に支持される。
上側のリンク部材４２３では、中央連結軸４４２は、中央側軸支持部４３７に下方から挿通される。下側のリンク部材４２３では、中央連結軸４４２は、中央側軸支持部４３７に上方から挿通される。
リンク部材４２３は、駆動部材連結軸４４３を介して駆動部材４２５に接続される。
【００８１】
リンク部材４２３の左右の側方延出部４４１の先端部は、表示部材４２０の表示部材側被押圧部４２０ｅに後方から当接する。すなわち、表示部材側被押圧部４２０ｅは、側方延出部４４１の前方に配置される。
リンク部材４２３は、表示部材４２０の上面部及び下面部に設けられる段部４２０ｄに配置され、表示部材４２０とホルダー上面部４３２との間、及び、表示部材４２０とホルダー下面部４３３との間に位置する。これにより、リンク部材４２３を表示部材ホルダー４２１の内側に隠すことができ、外観性が良い。
【００８２】
図１９を参照し、駆動部材４２５は、ホルダー後面部４３１の後面に沿うように設けられる略矩形の枠状である。
駆動部材４２５は、上板部５０、下板部５１、上下連結部５２，５２、開口２５ａ、ガイド孔５０ｂ、及びラックギア５０ｃを備える。
駆動部材４２５は、上板部５０の上縁部及び下板部５１の下縁部に、リンク部材４２３が連結されるリンク連結部４４５をそれぞれ備える。
リンク連結部４４５は、リンク部材４２３の駆動部材連結軸４４３が挿通されるリンク連結孔４４５ａを備える。リンク連結孔４４５ａは、駆動部材４２５の左右の中央部に設けられる。リンク連結孔４４５ａは、前後方向に長い長孔である。
【００８３】
付勢部材４２６は、リンク部材４２３の左右の側方で前後方向に延びる引張コイルばねである。
左右の各付勢部材４２６は、一端が開口部４３８を通って表示部材ホルダー４２１のスプリング連結部４３８ａに連結され、他端が表示部材４２０のスプリング連結部４２０ｆに連結される。
付勢部材４２６は、表示部材４２０を後方に引っ張って、表示部材ホルダー４２１側に引き付けている。
【００８４】
図１７〜図２０では、モニター４１１は、表示部材４２０が左右に傾かずに正面を向く「中立状態」が示されている。
「中立状態」では、図１９に示すように、駆動部材４２５は、表示部材ホルダー４２１の左右の中央部に位置する。図２０に示すように、「中立状態」では、駆動部材連結軸４４３は、リンク連結孔４４５ａの後部に位置する。
「中立状態」では、左右の付勢部材４２６が表示部材４２０を略均等に表示部材ホルダー４２１側に引き付けている。この状態では、表示部材４２０の左右のガイド軸４２０ｃが、表示部材ホルダー４２１の左右のホルダー側ガイド溝４３６の後方側端部に当接して、表示部材４２０は「中立状態」に維持されている。
「中立状態」では、リンク部材４２３の左右の側方延出部４４１は、左右の表示部材側被押圧部４２０ｅから後方側に離間しており、側方延出部４４１と被押圧部４２０ｅとの間には間隙が設けられている。この間隙により、付勢部材４２６がモニター４１１を引き付ける力によって表示部材ホルダー４２１側にモニター４１１を引き付けて、ガタツキや隙間が無いように位置させることができる。
モニター４１１は、モーター２８、リンク部材４２３、及び駆動部材４２５が無い状態であったとしても、「中立状態」において、付勢部材４２６によって表示部材ホルダー４２１側に引き付けられている。
【００８５】
図２１及び図２２は、表示部材４２０を左右方向に傾斜させた状態においてモニター４１１を上方側から見た平面図である。なお、図２２では、表示部材ホルダー４２１及び駆動部２７は不図示である。
図２１及び図２２では、表示部材４２０を左右の一方側（左側）に傾斜させた「傾斜状態」が示されている。
【００８６】
モーター２８の駆動によってウォームギア２８ｃが回転されると、トルクリミッター３０及びギア２９を介して駆動部材４２５が左右方向に移動し、モニター４１１は「傾斜状態」となる。
詳細には、駆動部材４２５が左側にスライド移動すると、リンク連結孔４４５ａを介してリンク部材４２３が左に引っ張られる。そして、リンク部材４２３は、左側の付勢部材４２６及び右側の付勢部材４２６の付勢力に抗し、中央連結軸４４２を回動中心として、左側の側方延出部４４１が前方に移動するように揺動する。これにより、表示部材４２０は、左側の表示部材側被押圧部４２０ｅが左側の側方延出部４４１によって前方へ押圧され、左側に傾斜する。
この状態では、表示部材ホルダー４２１に支持されるリンク部材４２３は、側方延出部４４１が表示部材側被押圧部４２０ｅに当接することで、表示部材ホルダー４２１と表示部材４２０とを接続する。
【００８７】
この際、図２１に示すように、表示部材４２０の左側のガイド軸４２０ｃは、表示部材ホルダー４２１の左側のホルダー側ガイド溝４３６にガイドされ、ホルダー側ガイド溝４３６内を前方に移動する。ホルダー側ガイド溝４３６は、リンク部材４２３の揺動の軌跡に沿うように円弧状に前後に延びる。表示部材４２０の前方への揺動は、ガイド軸４２０ｃがホルダー側ガイド溝４３６の前端に当接することで規制される。
また、リンク部材４２３の駆動部材連結軸４４３（図２２）は、リンク連結孔４４５ａ内を前方に移動する。
【００８８】
また、図２１及び図２２に示すように、「中立状態」に対し駆動部材４２５が左側に移動すると、リンク部材４２３の右側の側方延出部４４１は、右側の表示部材側被押圧部４２０ｅから後方に離れる。この状態では、右側の表示部材側被押圧部４２０ｅの位置は、「中立状態」からほとんど変化しない。
このため、表示部材４２０を左右の一方側（左側）に傾斜させた場合であっても、左右の他方側（右側）では、表示部材４２０の姿勢の変化が少なく、表示部材４２０を適切に左右に傾斜させることができる。
【００８９】
表示部材４２０は、モーター２８が図２１の場合とは逆方向に回転されることで、右側に傾斜する。また、表示部材４２０は、モーター２８の回転量の調整によって、任意の傾斜状態にセットされることができる。
【００９０】
以上説明したように、本発明を適用した第４の実施の形態によれば、モニター４１１は、表示部材４２０と、表示部材４２０の後方に配置される表示部材ホルダー４２１と、表示部材ホルダー４２１に対し前後に揺動可能に設けられるとともに、表示部材４２０を表示部材ホルダー４２１に接続するリンク部材４２３と、リンク部材４２３を駆動する駆動部材４２５と、表示部材４２０を表示部材ホルダー４２１側に引き付ける付勢部材４２６と、を備え、駆動部材４２５は、付勢部材４２６の付勢力に抗してリンク部材４２３を前方側に揺動させる。この構成によれば、表示部材４２０を表示部材ホルダー４２１側に引き付ける付勢部材４２６の付勢力に抗して、駆動部材４２５がリンク部材４２３を前方側に揺動させ、リンク部材４２３を介し表示部材４２０を傾けることができる。このため、簡単な構造で適切に表示部材４２０を傾けることができる。
【００９１】
また、リンク部材４２３は、表示部材ホルダー４２１の左右の中央部に回動可能に連結される中央連結軸４４２と、中央連結軸４４２の後方で駆動部材に対し回動可能に連結される駆動部材連結軸４４３と、中央連結軸４４２に対し左右の両側方に延出する一対の側方延出部４４１とを備え、表示部材４２０は、一対の側方延出部４４１の前方に配置される一対の表示部材側被押圧部４２０ｅを備え、駆動部材４２５の左右方向への移動により、駆動部材連結軸４４３を介しリンク部材４２３が中央連結軸４４２を中心に揺動し、一対の表示部材側被押圧部４２０ｅの一方が側方延出部４４１によって押圧される。
この構成によれば、表示部材ホルダー４２１の左右の中央部に回動可能に連結されるリンク部材４２３によって表示部材側被押圧部４２０ｅを押圧する簡単な構造で表示部材４２０を傾けることができる。また、一対の表示部材側被押圧部４２０ｅの一方が押圧されることで表示部材４２０を傾けることができるため、簡単な構造で表示部材４２０を傾けることができるとともに、表示部材側被押圧部４２０ｅの他方側にはほとんど影響せずに表示部材４２０を適切に傾けることができる。
【００９２】
また、付勢部材４２６は、表示部材４２０と表示部材ホルダー４２１とを前後に接続するばねであり、リンク部材４２３の左右に一対設けられる。この構成によれば、付勢部材４２６によって、表示部材４２０を表示部材ホルダー４２１側に適切に引き付けることができる。
また、表示部材ホルダー４２１は、表示部材４２０に設けられるガイド軸４２０ｃが挿入されるホルダー側ガイド溝４３６を備え、ホルダー側ガイド溝４３６は前後方向に延びる。この構成によれば、ホルダー側ガイド溝４３６によって、前後に揺動するように表示部材４２０をガイドできる。このため、適切に表示部材を傾けることができる。
【符号の説明】
【００９３】
１１，２１１，３１１，４１１  モニター（表示装置）
２０，３２０，４２０  表示部材
２０ｂ，２２０ｂ  表示部材側回動軸
２１，３２１，４２１  表示部材ホルダー
２３Ｌ，２３Ｒ  リンク部材
２４Ｌ，２４Ｒ  リンク部材
２５，２２５，３２５，４２５  駆動部材
２６，２２６，３２６，４２６  付勢部材
２８  モーター
２８ｃ  ウォームギア
３２ａ，３３ａ，２３２ａ  ガイド溝
３５，３９  ホルダー側回動軸
２２３Ｌ，２２３Ｒ  リンク部材
３２３Ｌ，３２３Ｒ  リンク部材
３３６  連結軸ガイド溝
３３９  被押圧部
３４０  軸部
３４１  連結部（長孔）
４２０ｅ  表示部材側被押圧部
４２３  リンク部材
４３６  ホルダー側ガイド溝
４４１  側方延出部
４４２  中央連結軸
４４３  駆動部材連結軸
【図１】
2019212944.tif 000003
【図２】
2019212944.tif 000004
【図３】
2019212944.tif 000005
【図４】
2019212944.tif 000006
【図５】
2019212944.tif 000007
【図６】
2019212944.tif 000008
【図７】
2019212944.tif 000009
【図８】
2019212944.tif 000010
【図９】
2019212944.tif 000011
【図１０】
2019212944.tif 000012
【図１１】
2019212944.tif 000013
【図１２】
2019212944.tif 000014
【図１３】
2019212944.tif 000015
【図１４】
2019212944.tif 000016
【図１５】
2019212944.tif 000017
【図１６】
2019212944.tif 000018
【図１７】
2019212944.tif 000019
【図１８】
2019212944.tif 000020
【図１９】
2019212944.tif 000021
【図２０】
2019212944.tif 000022
【図２１】
2019212944.tif 000023
【図２２】
2019212944.tif 000024